(57)【特許請求の範囲】
【請求項１】
鍋体制御ユニットと第１のコイルと第２のコイル共振回路と上蓋制御ユニットとを含み、
前記第１のコイルは、鍋体に設置され、通電中に前記第２のコイル共振回路と電磁誘導を起こして前記第２のコイル共振回路に電流又は電圧を生成させ、
前記鍋体制御ユニットは、前記鍋体に設置され、前記第１のコイルに接続され、回路給電及び通信中に、前記第１のコイルと前記第２のコイル共振回路とが電磁誘導を起こす時に生成された電流又は電圧共振波の変更信号を取得して、調理信号に復調し、
前記第２のコイル共振回路は、上蓋に設置され、前記上蓋制御ユニットに接続され、生成された前記電流又は電圧を前記上蓋制御ユニットに伝送し、
前記上蓋制御ユニットは、前記上蓋に設置され、通電作動後にデータ信号を送信して前記第２のコイル共振回路に作用して、前記第２のコイル共振回路と前記第１のコイルとが電磁誘導を起こす時に生成された電流又は電圧共振波の振幅を変更させる、電気調理器用の無線給電通信回路であって、
前記上蓋制御ユニットは、整流モジュールと機能デバイスと処理チップとキャリア通信モジュールとを含み、前記整流モジュールが前記第２のコイル共振回路に接続され、前記機能デバイスと前記処理チップとがいずれも前記整流モジュールに接続され、前記機能デバイスが前記処理チップに接続され、前記処理チップが、前記キャリア通信モジュールに接続され、前記データ信号を前記キャリア通信モジュールに送信し、前記キャリア通信モジュールが、前記第２のコイル共振回路に接続され、前記データ信号を受信した後に前記第２のコイル共振回路に作用し、前記第２のコイル共振回路と前記第１のコイルとが電磁誘導を起こす時に生成された前記電流又は電圧共振波の振幅を変更させ、
前記キャリア通信モジュールは、スイッチデバイスと前記スイッチデバイスに接続される第１の共振コンデンサーとを含み、前記スイッチデバイスが前記処理チップに接続され、前記第１の共振コンデンサーが前記第２のコイル共振回路に接続され、前記スイッチデバイスが前記データ信号を受信した後に前記第１の共振コンデンサーを前記第２のコイル共振回路に作用させることによって、前記第２のコイル共振回路と前記第１のコイルとが電磁誘導を起こす時に生成された前記電流又は電圧共振波の振幅を変更させ、
前記スイッチデバイスは第１のMOSトランジスタで、前記第１のMOSトランジスタのG電極が前記処理チップの信号出力端に接続され、前記第１のMOSトランジスタのS電極がアースに接続され、前記第１のMOSトランジスタのD電極が前記第１の共振コンデンサーの一端に接続され、前記第１の共振コンデンサーの他端には前記第２のコイル共振回路が接続され、
一端が前記第１のMOSトランジスタのG電極に接続され、他端が前記上蓋制御ユニットの信号出力端に接続されるシャント抵抗を含み、
一端が前記第１のMOSトランジスタのG電極に接続され、他端がアースに接続される第１の抵抗を更に含むことを特徴とする電気調理器用の無線給電通信回路。
【請求項２】
前記鍋体制御ユニットは、コントローラと電源ボードと加熱部品と復調モジュールとを含み、そのうち、前記電源ボードが前記コントローラに接続され、前記コントローラが前記加熱部品と前記第１のコイルと前記復調モジュールとに接続され、前記復調モジュールが、前記第１のコイルに接続され、回路給電及び通信中に、前記第１のコイルと前記第２のコイル共振回路とが電磁誘導を起こす時に生成された前記電流又は電圧共振波の変化信号を取得して、前記調理信号に復調することを特徴とする請求項１に記載の無線給電通信回路。
【請求項３】
前記第２のコイル共振回路は、前記第２のコイルと前記第２のコイルの両端に接続されて互いに並列に設置される少なくとも１つの第１のコンデンサーとを含み、前記第２のコイルの両端には前記整流モジュールが接続されていることを特徴とする請求項２に記載の無線給電通信回路。
【請求項４】
前記第２のコイル共振回路は、前記第２のコイルと、前記第２のコイルの両端に接続されて互いに並列に設置される少なくとも１つの第１のコンデンサーと、前記第１のコンデンサーと直列接続される第２のコンデンサーとを含み、前記第２のコイルの両端には前記整流モジュールが接続されていることを特徴とする請求項１に記載の無線給電通信回路。
【請求項５】
前記第１のコイルと前記第２のコイルとは同軸に設置されていることを特徴とする請求項３に記載の無線給電通信回路。
【請求項６】
請求項１〜５のいずれか一項に記載の無線給電通信回路を含むことを特徴とする電気調理器。
【請求項７】
鍋体と上蓋と請求項１〜６のいずれか一項に記載の無線給電通信回路とを含み、更に、
前記鍋体に挿着座が設置され、前記上蓋に挿着キャビティが設置され、前記挿着キャビティが前記挿着座に合わせて可動挿着され、
前記挿着座に第１のコイルが設置され、前記挿着キャビティ内又は挿着キャビティに近い位置に第２のコイル共振回路が設置され、前記鍋体に鍋体制御ユニットが設置され、前記上蓋に上蓋制御ユニットが設置されていることを特徴とする電気調理器。
【請求項８】
前記挿着座が前記鍋体に設置されるヒンジ・シャフトにヒンジ接続されていることを特徴とする請求項７に記載の電気調理器。
【請求項９】
前記挿着座が前記ヒンジ・シャフトの周りに回転する角度が０〜９５°の範囲であることを特徴とする請求項８に記載の電気調理器。
【請求項１０】
前記挿着座が前記ヒンジ・シャフトにヒンジ接続される座台を含み、前記座台の上方には前記座台の平面に垂直なプラグが設置され、前記挿着キャビティが、前記座台に合わせて挿合される座台キャビティと前記プラグとに合わせて挿合されるプラグ・キャビティを含むことを特徴とする請求項８又は９に記載の電気調理器。
【請求項１１】
前記第１のコイルが前記プラグ内に設置されていることを特徴とする請求項１０に記載の電気調理器。
【請求項１２】
前記挿着座が前記挿着キャビティに可動係合に接続されていることを特徴とする請求項７に記載の電気調理器。
【請求項１３】
前記挿着キャビティ内に係合溝が設けられ、前記挿着座の表面に弾性係合具が設けられ、前記弾性係合具が前記係合溝に係合されていることを特徴とする請求項１２に記載の電気調理器。
【発明の詳細な説明】
【技術分野】
【０００１】
本発明は、家電技術分野に関し、特に電気調理器用の無線給電通信回路、電気調理器及び無線給電通信方法に関する。
【背景技術】
【０００２】
現在、既存の電気調理器は、一体構造とされており、電源を入れて電器機能を実現するように、上蓋が接続線を介して底部電源に接続される。しかしながら、その上蓋を取り外すことができず、洗浄し難いため、上蓋に給電する必要がある多くの機能を達成することは容易ではない。例えば、ソレノイドバルブのオンオフを制御することで、鍋内の圧力を制御すること、鍋内の温度を検出すること等が挙げられる。電気調理器が分割構造とされると、上蓋が底部電源に接続することができないので、上蓋に電器機能を使用することができない。
【先行技術文献】
【特許文献】
【０００３】
【特許文献１】本明細書には、先行技術文献は開示されていない。
【発明の概要】
【発明が解決しようとする課題】
【０００４】
本発明が解決しようとする技術課題は、上蓋と鍋体が分離した場合、どのように両者の間の電力と信号の無線伝送を実現するかということである。
【課題を解決するための手段】
【０００５】
本発明は、下記の技術的解決策が採用されており、
一形態では、本発明は、電気調理器用の無線給電通信回路を提供し、当該電気調理器用の無線給電通信回路は、鍋体制御ユニット、第１のコイル、第２のコイル共振回路、及び上蓋制御ユニットを含み、
第１のコイルは、鍋体に設置され、通電中に前記第２のコイル共振回路と電磁誘導を起こして第２のコイル共振回路に電流又は電圧を生成させ、
鍋体制御ユニットは、鍋体に設置され、第１のコイルに接続され、回路給電及び通信中に、第１のコイルと第２のコイル共振回路が電磁誘導を起こす時に生成した電流又は電圧共振波（Resonance Wave）変化信号を取得して、調理信号に復調し、
第２のコイル共振回路は、上蓋に設置され、上蓋制御ユニットに接続されており、生成された電流又は電圧を上蓋制御ユニットに伝送し、
上蓋制御ユニットは、上蓋に設置され、通電作動後にデータ信号を送信して前記第２のコイル共振回路に作用して、第２のコイル共振回路と第１のコイルが電磁誘導を起こす時に生成した電流又は電圧共振波振幅を変更させる。
【０００６】
好ましくは、前記鍋体制御ユニットは、コントローラ、電源ボード、加熱部品、及び復調モジュールを含み、そのうち、前記電源ボードは前記コントローラに接続され、前記コントローラは前記加熱部品、前記第１のコイル及び前記復調モジュールに接続され、前記復調モジュールは、前記第１のコイルに接続され、回路給電及び通信中に第１のコイルと第２のコイル共振回路が電磁誘導を起こす時に生成した電流又は電圧共振波変化信号を取得して、調理信号に復調する。
【０００７】
好ましくは、前記上蓋制御ユニットは、整流モジュール、機能デバイス、処理チップ、及びキャリア通信モジュールを含み、前記整流モジュールは第２のコイル共振回路に接続され、前記機能デバイスと前記処理チップはいずれも前記整流モジュールに接続され、前記機能デバイスは前記処理チップに接続され、前記処理チップは、前記キャリア通信モジュールに接続され、データ信号を前記キャリア通信モジュールに送信し、前記キャリア通信モジュールは、前記第２のコイル共振回路に接続され、データ信号を受信した後に前記第２のコイル共振回路に作用して、第２のコイル共振回路と第１のコイルが電磁誘導を起こす時に生成した電流又は電圧共振波振幅を変更させる。
【０００８】
好ましくは、前記第２のコイル共振回路は、第２のコイル、及び第２のコイルの両端に接続されて互いに並列に設置される少なくとも１つの第１のコンデンサーを含み、前記第２のコイルの両端には前記整流モジュールが接続されている。
【０００９】
好ましくは、前記第２のコイル共振回路は、第２のコイル、第２のコイルの両端に接続されて互いに並列に設置される少なくとも１つの第１のコンデンサー、及び前記第１のコンデンサーと直列接続される第２のコンデンサーを含み、前記第２のコイルの両端には前記整流モジュールが接続されている。
【００１０】
好ましくは、前記キャリア通信モジュールは、スイッチデバイス、及びスイッチデバイスに接続される第１の共振コンデンサーを含み、前記スイッチデバイスは前記処理チップに接続され、前記第１の共振コンデンサーは前記第２のコイル共振回路に接続され、そのうち、前記スイッチデバイスは前記データ信号を受信した後オンにされ、前記第１の共振コンデンサーを前記第２のコイル共振回路に作用させて、第２のコイル共振回路と第１のコイルが電磁誘導を起こす時に生成した電流又は電圧共振波振幅を変更させる。
【００１１】
好ましくは、前記スイッチデバイスは第１のMOSトランジスタであり、前記第１のMOSトランジスタのG電極は前記処理チップの信号出力端に接続され、前記第１のMOSトランジスタのS電極はアースに接続され、前記第１のMOSトランジスタのD電極は前記第１の共振コンデンサーの一端に接続され、前記第１の共振コンデンサーの他端には前記第２のコイル共振回路が接続されている。
【００１２】
好ましくは、一端が前記第１のMOSトランジスタのG電極に接続され、他端が前記上蓋制御ユニットの信号出力端に接続されるシャント抵抗を更に含む。
【００１３】
好ましくは、一端が前記第１のMOSトランジスタのG電極に接続され、他端がアースに接続される第１の抵抗を更に含む。
【００１４】
好ましくは、前記第１のコイルと前記第２のコイルは同軸に設置されている。
【００１５】
別の形態では、本発明は、上記無線給電通信回路を含む電気調理器を更に提供する。
【００１６】
別の形態では、本発明は、電気調理器を更に提供し、当該電気調理器は、鍋体、上蓋、及び上記無線給電通信回路を含み、そのうち、
前記鍋体に挿着座が設置され、前記上蓋に挿着キャビティが設置され、前記挿着キャビティは前記挿着座に合わせて可動挿着され、
前記挿着座に第１のコイルが設置され、前記挿着キャビティ内又は挿着キャビティに近い位置に第２のコイル共振回路が設置され、前記鍋体に鍋体制御ユニットが設置され、前記上蓋に上蓋制御ユニットが設置されている。
【００１７】
好ましくは、前記挿着座は前記鍋体に設置されるヒンジ・シャフトにヒンジ接続されている。
【００１８】
好ましくは、前記挿着座が前記ヒンジ・シャフトの周りに回転する角度は０−９５°である。
【００１９】
好ましくは、前記挿着座はヒンジ・シャフトにヒンジ接続される座台を含み、前記座台の上方には座台の平面に垂直なプラグが設置され、前記挿着キャビティは、前記座台に合わせて挿合される座台キャビティ、及び前記プラグに合わせて挿合されるプラグ・キャビティを含む。
【００２０】
好ましくは、前記第１のコイルは前記プラグ内に設置されている。
【００２１】
好ましくは、前記挿着座は前記挿着キャビティに可動係合で接続されている。
【００２２】
好ましくは、前記挿着キャビティ内に係合溝が設けられ、前記挿着座の表面に弾性係合具が設けられ、前記弾性係合具は前記係合溝に係合されている。
【００２３】
別の形態では、本発明は、電気調理器用の無線給電通信方法を更に提供し、当該方法は、
第１のコイルは通電された後に、第２のコイル共振回路と電磁誘導を起こして上蓋制御ユニットに電流又は電圧を伝送すること、
前記上蓋制御ユニットは通電作動後にキャリア通信モジュールにデータ信号を送信すること、
上蓋制御ユニットは、通電作動後にデータ信号を送信して前記第２のコイル共振回路に作用して、第２のコイル共振回路と第１のコイルが電磁誘導を起こす時に生成した電流又は電圧共振波振幅を変更させること、及び
鍋体制御ユニットは、回路給電及び通信中に、第１のコイルと第２のコイル共振回路が電磁誘導を起こす時に生成した電流又は電圧共振波変化信号を取得して、調理信号に復調すること、を含む。
【発明の効果】
【００２４】
（１）、本発明は、対向に設置されるコイルで電磁誘導を起こして電流又は電圧を生成する。更に、共振波振幅の変更を検出して情報のインタラクションを実現することにより、従来技術で同時に無線給電及び通信を行うことができない問題を同時に解決する。
（２）、本発明は、挿着座が挿着キャビティに合わせて挿合されることにより、鍋体と上蓋の分離可能な効果を達成する。
【図面の簡単な説明】
【００２５】
【図１】本発明の実施例１による無線給電通信回路の構造模式図である。
【図２】本発明の実施例２による無線給電通信回路の構造模式図である。
【図３】本発明による共振波の波形変更の模式図である。
【図４】本発明の実施例３による無線給電通信方法のフローチャートである。
【図５】本発明の実施例５による電気調理器の構造模式図である。
【図６】図５における上蓋と鍋体の分離状態の模式図である。
【図７】図５における鍋体の構造模式図である。
【図８】本実施例６による電気調理器の構造模式図である。
【図９】図８における上蓋と鍋体の分離状態の模式図である。
【図１０】本発明の実施例７による電気調理器の構造模式図である。
【図１１】図１０における上蓋と鍋体の分離状態の模式図である。
【図１２】本発明の実施例５−７による電気調理器の無線伝送機能の模式図である。
【発明を実施するための形態】
【００２６】
以下、図面及び施例を参照して本発明の具体的な実施形態を更に説明する。以下の実施例は、本発明を説明するためのものに過ぎず、本発明の範囲を制限するためのものではない。
【００２７】
図１は、本発明の実施例１による電気調理器用の無線給電通信回路を示し、当該電気調理器用の無線給電通信回路は、鍋体に設置される鍋体制御ユニット及び第１のコイル（図示せず）、上蓋に設置される第２のコイル共振回路５及び上蓋制御ユニットを含み、前記鍋体制御ユニットは、コントローラ、加熱部品、電源ボード、及び復調モジュールを含み、前記電源ボードは前記コントローラに接続され、前記コントローラは前記加熱部品、前記第１のコイル及び前記復調モジュールに接続され、前記復調モジュールは前記第１のコイルに接続される。前記上蓋制御ユニットは、整流モジュール３、機能デバイス４、処理チップ、及びキャリア通信モジュール２を含み、前記整流モジュール３は第２のコイル共振回路５に接続され、前記機能デバイス４と前記処理チップはいずれも整流モジュール３に接続され、前記機能デバイス４は前記処理チップに接続され、前記処理チップは前記キャリア通信モジュール２に接続され、前記キャリア通信モジュール２は前記第２のコイル共振回路５に接続される。前記第２のコイル共振回路５は、第２のコイル１、及び第２のコイル１の両端に接続されて互いに並列に設置される少なくとも１つの第１のコンデンサーC１を含み、図１に１つの第１のコンデンサーC１を示しているが、又は、例えば実施例２では図２に示すように、前記第２のコイル共振回路５は、第２のコイル１、第２のコイル１の両端に接続されて互いに並列に設置される少なくとも１つの第１のコンデンサーC１、及び第１のコンデンサーC１と直列接続される第２のコンデンサーC３を含む。そのうち、第１のコイルはコントローラに接続され、コントローラは電源ボードに接続され、第１のコイルはコントローラに接続されることで、作動電圧を取得する。前記第１のコイルと前記第２のコイル１は同軸に設置され、通電中に前記第２のコイル１、第１のコンデンサーC１と電磁誘導を起こして第２のコイル１に電流又は電圧を生成させる。
【００２８】
第２のコイル共振回路５は、整流モジュール３に接続され、機能デバイス４、処理チップ及びキャリア通信モジュール２が作動するように、整流処理によって交流電力を直流電力に変換した後、電流又は電圧を機能デバイス４、処理チップ及びキャリア通信モジュール２に伝送する。そのうち、前記機能デバイス４は、上蓋温度感知装置、ソレノイドバルブ、電磁コイル、ディスプレイパネル等の既存の機能デバイスの１種又は複数種を含む。
【００２９】
本発明は、第１のコイル、第２のコイル１及び第１のコンデンサーC１が電磁誘導現象を起こすことにより、機能デバイス４及び処理チップに必要な電流又は電圧を生成して、鍋体から上蓋への無線給電を実現する。
【００３０】
調理器は、調理中に、調理信号に応じて対応する作動をする必要がある。上蓋上の負荷は、作動中に調理状態信号を生成し、調理器は、作動状態で、対応する調理指令信号を送信し、処理チップはこれらの信号を取得した後、鍋体のコントローラにフィードバックする必要があり、コントローラはこれらの信号を解読することで調理信号を取得し、信号に応じて対応する制御指令を作る。従って、鍋体と上蓋との間の信号の無線伝送を実現するために、キャリア方式で波形変化により通信信号を取得することができる。従って、本発明は、信号をキャリア通信モジュール２に送信することができる。
【００３１】
当該キャリア通信モジュール２は、前記第２のコイル共振回路５に接続され、データ情報を受信した後第２のコイル共振回路５に作用して、第１のコイルと第２のコイル共振回路５が電磁誘導を起こす時に生成した電流又は電圧共振波振幅を変更させる（図３に示すように）、そのうち、図の中では、送信コイルディスクは第２のコイル１である。図３に示すような電流又は電圧共振波振幅は変化状態にあり、復調モジュールは第１のコイルに接続され、回路給電及び通信中に第１のコイルと第２のコイル共振回路５が電磁誘導を起こす時に生成した電流又は電圧共振波変化信号を取得して、それを調理信号に復調することができる。調理信号は最終的にコントローラにフィードバックされる。
【００３２】
図１に示すように、前記キャリア通信モジュール２は、第１のMOSトランジスタQ１及び第１の共振コンデンサーC２を含み、前記第１のMOSトランジスタQ１のG電極は前記処理チップの信号出力端に接続され、前記第１のMOSトランジスタQ１のS電極はアースに接続され、前記第１のMOSトランジスタQ１のD電極は前記第１の共振コンデンサーC２の一端に接続され、前記第１の共振コンデンサーC２の他端には第２のコイル共振回路５が接続され、図の中では、第１の共振コンデンサーC２は第１のコンデンサーC１に接続され、そのうち、前記第１のMOSトランジスタQ１は前記データ信号を受信してオンにされ、オンにされた後、第１の共振コンデンサーC２は第２のコイル共振回路５の作動回路にあり、第１の共振コンデンサーC２は第１のコイルと第２のコイル１で生成した電流又は電圧の共振作動に関与し、第１のコイルと第２のコイル１の給電中における共振波の振幅を変更させる。
【００３３】
更に説明すると、一端が前記第１のMOSトランジスタQ１のG電極に接続され、他端が上蓋電気デバイスの信号出力端に接続されるシャント抵抗R１を更に含む。
【００３４】
更に説明すると、一端が前記第１のMOSトランジスタQ１のG電極に接続され、他端がアースに接続される第１の抵抗R２を更に含む。回路に故障が発生する場合、当該第１の抵抗R２は第１のMOSトランジスタQ１がオン状態になることを防ぐことができる。
【００３５】
本発明は、データを送信する時、第１のMOSトランジスタQ１がオンにされ、第１の共振コンデンサーC２が共振に関与することで、共振状態が変化し、これにより、共振波振幅が変化して、更に復調されて、信号フィードバックの目的を達成する。
【００３６】
本発明は、対向に設置されるコイルで電磁誘導を起こして電流又は電圧を生成する。更に共振波振幅の変更を検出して情報のインタラクションを実現することにより、従来技術で同時に無線給電及び通信を行うことができない問題を同時に解決する。
【００３７】
実施例３：図４に示すように、本発明は、電気調理器用の無線給電通信方法を提供し、当該電気調理器用の無線給電通信方法は、
第１のコイルが通電された後に、第２のコイル共振回路と電磁誘導を起こして上蓋制御ユニットに電流又は電圧を伝送するＳ１、
前記上蓋制御ユニットが通電作動後にキャリア通信モジュールにデータ信号を送信するＳ２、
上蓋制御ユニットが、通電作動後にデータ信号を送信して前記第２のコイル共振回路に作用して、第２のコイル共振回路と第１のコイルが電磁誘導を起こす時に生成した電流又は電圧共振波振幅を変更させるＳ３、及び
鍋体制御ユニットが、回路給電及び通信中に、第１のコイルと第２のコイル共振回路が電磁誘導を起こす時に生成した電流又は電圧共振波変化信号を取得して、調理信号に復調するＳ４を含む。
【００３８】
本発明は、対向に設置されるコイルで電磁誘導を起こして電流又は電圧を生成する。更に、共振波振幅の変更を検出して情報のインタラクションを実現することにより、従来技術では無線給電及び通信を同時に行うことができない問題を同時に解決する。
【００３９】
実施例４：本発明は、上記無線給電通信回路を含む電気調理器を提供する。本実施例では、電気調理器に無線給電通信回路が設置されて電力又は信号の無線伝送が実現可能であればよい。
【００４０】
実施例５：図５−図７に示すように、本発明の実施例５は、電気調理器を提供し、当該電気調理器は、鍋体６、上蓋７及び上記無線給電通信回路（図示せず）を含み、そのうち、前記鍋体６にヒンジ・シャフト１２が設置され、挿着座８はヒンジ・シャフト１２にヒンジ接続され、前記上蓋７に挿着キャビティ９が設置され、前記挿着座８は前記挿着キャビティ９に合わせて挿合され、前記挿着座８に第１のコイル１０が設置され、前記挿着キャビティ９内又は挿着キャビティ９に近い位置に第２のコイル共振回路５が設置され、前記鍋体に鍋体制御ユニットが設置され（図示せず）、前記上蓋に上蓋制御ユニットが設置されている（図示せず）。本実施例は、実施例１による無線回路通信回路により上蓋と鍋体との間の電力と信号の無線伝送を実現する。ここで贅言を要しない。
【００４１】
更に説明すると、前記挿着座８はヒンジ・シャフト１２にヒンジ接続される座台１３を含み、前記座台１３の上方には座台１３の平面に垂直なプラグ１４が設置される。前記挿着キャビティ９は、前記座台１３に合わせて挿合される座台キャビティ１５、及び前記プラグ１４に合わせて挿合されるプラグ・キャビティ１１を含む。座台１３と座台キャビティ１５との挿合は上蓋７の挿着座８への挿着の安定性を向上させることができ、プラグ１４とプラグ・キャビティ１１との挿合は２つのコイルの誘導安定性を向上させることができる。鍋体の第１のコイルを前記プラグ１４内に設置することもでき、プラグ１４はプラグ・キャビティ１１内に挿着され、誘導過程は比較的に安定的であり、また、キャビティ体全体の内部にあるので、防水効果がより高く、耐用年数が比較的に長い。
【００４２】
図１２に示すように、本発明は、コイルの間の電磁誘導原理を利用して、上蓋の第２のコイル共振回路に電流を生成させ、上蓋電気デバイスに給電する。同時に、上蓋電気デバイスの信号が鍋体上の制御板にフィードバックされる。ただし、鍋体と上蓋の開閉、使用上の便宜で、前記挿着座８が前記ヒンジ・シャフト１２の周りに回転する角度は０−９５°である。上蓋７は前記ヒンジ・シャフト１２のヒンジ・ベースにつられて水平位置にスイングして閉蓋することができ、蓋を開ける時にも前記ヒンジ・シャフト１２のヒンジ・ベースにつられて９５°の位置にスイングすることができ、上蓋を簡単に取り外すことができる。
【００４３】
本実施例１による電気調理器は、挿着座８が鍋体にヒンジ接続され、一定の角度範囲内に自由に回動することができるとともに、上蓋上の挿着キャビティ９が挿着座８に挿着され、上蓋は鍋体との閉蓋又は開蓋の状態で、いずれも電力又は信号の無線伝送を完成することができる。
【００４４】
実施例６：図８−図９に示すように、本発明による電気調理器は、本実施例が、前記挿着座８が鍋体の縁に固定されている点で、実施例５と異なる。上蓋が閉蓋状態にある場合、挿着キャビティ９が挿着座８に挿着されることで、開蓋状態での調理機能を実現することができる。
【００４５】
実施例７：図１０−図１１に示すように、本発明による電気調理器は、本実施例が、前記挿着座８が鍋体の縁に固定されている点で、実施例５と異なる。上蓋が閉蓋状態にある場合、挿着キャビティ９が挿着座８に挿着されることで、閉蓋状態での調理機能を実現することができる。
【００４６】
実施例８：本発明による電気調理器は、本実施例が、上蓋に２つの挿着キャビティ（図示せず）が設置されてもよく、１つは上蓋７が鍋体にカバーしているときに挿着座８に挿着されて閉蓋状態での調理機能を実現し、もう１つは上蓋の開蓋状態での調理機能を実現する。
【００４７】
実施例９：本発明による電気調理器は、上蓋が鍋体から容易に外れることを防止するために、前記挿着座８と前記挿着キャビティ９が可動係合で接続されてもよい。具体的には、前記挿着キャビティ９内に係合溝（図示せず）が設けられ、前記挿着座８の表面に弾性係合具が設けられ、前記弾性係合具は前記係合溝に係合されるようにしてもよい。上記係合具及び係合溝が存在しても、弾性機能を有するため、上蓋は依然として鍋体から取り外すことができる。
【００４８】
以上の実施形態は、本発明を説明するためのものに過ぎず、本発明を制限するためのものではなく、当業者は、本発明の精神及び範囲を逸脱しない範囲内で種々の改良変形が可能であり、従って、同等のすべての技術的解決策は、本発明の保護範囲に属する。
【符号の説明】
【００４９】
１  第２のコイル
２  キャリア通信モジュール
３  整流モジュール
４  機能デバイス
５  第２のコイル共振回路
６  鍋体
７  上蓋
８  挿着座
９  挿着キャビティ
１０  第１のコイル
１１  プラグ・キャビティ
１２  ヒンジ・シャフト
１３  座台
１４  プラグ
１５  座台キャビティ
【図１】
0006530515.tif 000002
【図２】
0006530515.tif 000003
【図３】
0006530515.tif 000004
【図４】
0006530515.tif 000005
【図５】
0006530515.tif 000006
【図６】
0006530515.tif 000007
【図７】
0006530515.tif 000008
【図８】
0006530515.tif 000009
【図９】
0006530515.tif 000010
【図１０】
0006530515.tif 000011
【図１１】
0006530515.tif 000012
【図１２】
0006530515.tif 000013